(57)【要約】【課題】蛍光灯の寿命点灯及びその監視装置に関し、点滅やちらつきを起こす前に寿命を検出し交換を行うことができないという第１の課題と、蛍光灯個々が寿命に到達し不灯となった状態を検出できないという第２の課題があった。【解決手段】発信回路９を有する共振を利用したアナログ電子点灯管１０と安定器６を用いて前記蛍光灯３の電極４、電極４’間にパルス電圧を発生させて点灯する回路において、電極４、電極４’間のパルス電圧を計数する点灯パルス係数回路１４に入力しており、予め設定した９５％寿命到達パルス数を越えるパルスを計数した場合に９５％寿命到達信号１５を出力する。さらに前記蛍光灯の電極間の電圧を電極間電圧測定回路１６に入力し、予め設定した不灯電圧を越える電圧を測定した場合に不灯信号１７を出力する構成とした。【選択図】図１
2005123027.tif 000002
【特許請求の範囲】
【請求項１】
蛍光灯と安定器および、蛍光灯の電極間にパルス状の高電圧を印加し、かつ蛍光灯が点灯した時点で前記高電圧の印加を停止し点灯を継続するパルス状電圧印加点灯手段で構成された蛍光灯装置において、前記高電圧パルスの印加回数を計数する点灯パルス計数手段と、前記計数したパルス数を予め設定した寿命到達パルス数を越えるパルスを計数した場合に寿命到達信号を出力するパルス計数判定手段を設けたことを特徴とする蛍光灯装置。
【請求項２】
前記請求項１記載の蛍光灯装置において前記蛍光灯の電極間の電圧を測定し予め設定した不灯検電圧を越える電圧を測定した場合に不灯信号を出力する電極間電圧測定手段を設けたことを特徴とする蛍光灯装置。
【発明の詳細な説明】
【技術分野】
【０００１】
蛍光灯の寿命点灯及び監視装置に関する。
【背景技術】
【０００２】
従来の技術は、特許文献１において、蛍光灯の寿命末期に発生する点滅状態をカウントし蛍光灯を消灯する方法が提案されている。特許文献２において、蛍光灯寿命末期に発生するちらつきによる電流波形の変化を検出する方法が提案されている。特許文献３において、蛍光灯の累積点灯時間を積算し寿命時間との比較で寿命を判定する方法が提案されている。
【特許文献１】特開昭６２−１２２０９７号公報（段落０００９〜００１１、図１）
【特許文献２】特開平１０−２６１４９２号公報（段落０００７〜００１３、図１）
【特許文献３】特開２００２−８８７９公報（段落００１０〜００１７、図１）
【発明の開示】
【発明が解決しようとする課題】
【０００３】
上記背景技術は、特許文献１及び２においては、寿命末期の点滅やちらつき状態が発生した現象を検出しており、照明が点滅やちらつきになった状態を検出するために、点滅やちらつきを起こす前に寿命を検出し交換を行うことができないという第１の課題があった。同様に、特許文献３においては、蛍光灯の累積点灯時間を積算しているため、蛍光灯個々の寿命のばらつきや使用温度による寿命の変化を考慮しておらず、蛍光灯個々が寿命に到達し不灯となった状態を検出できないという第２の課題があった。
【課題を解決するための手段】
【０００４】
前記第１の課題は、安定器および、蛍光灯の電極間にパルス状の高電圧を印加し、かつ蛍光灯が点灯した時点で前記高電圧の印加を停止し点灯を継続するパルス状電圧印加点灯手段で構成された蛍光灯装置において、前記高電圧パルスの印加回数を計数する点灯パルス計数手段と、前記計数したパルス数を予め設定した寿命到達パルス数を越えるパルスを計数した場合に寿命到達信号を出力するパルス計数判定手段を設けたので、前記蛍光灯が点灯時間および起動で消耗すると、起動が遅くなり点灯までのパルス数が増加する。このパルスを計数する計数手投により計数するので、予め求めた寿命到達パルスに達することを検出できるので、点滅やちらつきの発生前に寿命を検出できる。これにより前記第１の課題を解決できる。
【０００５】
前記第２の課題は、蛍光灯と安定器および、蛍光灯の電極間にパルス状の高電圧を印加し、かつ蛍光灯が点灯した時点で前記高電圧の印加を停止し点灯を継続するパルス状電圧印加点灯手段で構成された蛍光灯装置において、前記高電圧パルスの印加回数を計数する点灯パルス計数手段と、前記計数したパルス数を予め設定した警報パルス数を越えるパルスを計数した場合に寿命到達警報信号を出力するパルス計数判定手段と、前記蛍光灯の電極間電圧を入力し予め設定した蛍光灯点灯電圧を越える電圧が発生した場合に、蛍光灯不灯信号を出力する点灯検出手段を設けたので、前記蛍光灯が不灯となると、前記点灯検出手段が電極間電圧が点灯時電圧より上昇したことを検出し不灯信号を出力する。これにより蛍光灯の不灯確実に検出できるので、前記第２の課題を解決できる。
【発明の効果】
【０００６】
請求項１に示す、蛍光灯と安定器および、蛍光灯の電極間にパルス伏の高電圧を印加し、かつ蛍光灯が点灯した時点で前記高電圧の印加を停止し点灯を継続するパルス状電圧印加点灯手段で構成された蛍光灯装置において、前記高電圧パルスの印加回数を計数する点灯パルス計数手段と、前記計数したパルス数を予め設定した寿命到達パルス数を越えるパルスを計数した場合に寿命到達信号を出力するパルス計数判定手段を設けたので、点滅やちらつきの発生前に寿命を検出できる。
【０００７】
請求項２に示す、前記題項の蛍光灯装置において前記計数したパルス数を予め設定した不灯検出パルス数を越えるパルスを計数した場合に不灯信号を出力するパルス計数判定手段を設けたので、蛍光灯個々の寿命のばらつきや使用温度による寿命の変化に関わらず、蛍光灯個々の不灯を検出できる。
【発明を実施するための最良の形態】
【０００８】
図１は、本発明の実施形態の構成を示す回路図、図２は、グロ一点灯管を用いた蛍光灯の点灯回路を示す図、図３は、点灯時間と点灯開始電圧の関係を示す点灯電圧と点灯開始電圧特性を示す図、図４は、点灯時間と点灯開始電圧の関係において９５％寿命時間での点灯開始電圧を示す点灯開始電圧特性を示す図、図５は、発信回路を有する共振を利用したアナログ電子点灯管を用いて点灯する回路図、図６は、前記回路の点灯時の電極間電圧と電極間電流の時間変化を示す図、図７は、前記点灯パルス数と点灯開始電圧の関係を示す図、図８は、アナログ電子点灯管を用いた蛍光灯回路における蛍光灯不灯時の起動電流と起動電圧の時間変化を示す不灯時起動電流起動電圧図である。
【０００９】
図２において、電源１が投入されるとグロー点灯管２に電流が流れ、蛍光管３の電極４、４’のフィラメントに電流が流れる。フィラメントの温度が上場し電極４、４’間に放電電流５が流れるとグロー点灯管２の電流が無くなり安定器６で昇圧と放電電流５を安定化させて点灯状態を継続する。前記蛍光灯１の電極４、電極４’は点灯時間により消耗する。この回路で電源電圧を０Vから緩慢な速度で上昇させて蛍光灯１が点灯を開始する電圧を点灯開始電圧と呼ぶ。図３において点灯時間と点灯開始電圧の変化を示す。点灯開始電圧は寿命末期で上昇し電源電圧に達すると不灯となる。図４において、寿命の９５％時間７の９５％寿命点灯開始電圧８を示す。前記点灯開始電圧が前記９５％寿命点灯開始電圧８の到達した時点で寿命の９５％に到達したと診断できる。次に図５に蛍光灯３は発信回路９を有する共振を利用したアナログ電子点灯管１０と安定器６を用いて前記蛍光灯３の電極４、電極４’間にパルス電圧（図示せず）を発生させて点灯する回路である。図６に前記回路の点灯時の電極間電圧と電極間電流の時間変化を示す。点灯開始までに発生するパルス電圧１１の数を点灯パルス数と呼ぶ。図において蛍光灯が点灯すると電極間電圧は点灯時電圧に成り安定する。図７に前記点灯パルス数と点灯開始電圧の関係を示す。点灯パルス数から点灯開始電圧を求めることができる。これにより、９５％寿命点灯開始電圧に相当する９５％寿命点灯パルス数を設定できる。図８おいて、アナログ電子点灯管を用いた蛍光灯回路における蛍光灯不灯時の起動電流と起動電圧の時間変化を示す不灯時電流圧図である。不灯では電極間電圧が点灯電圧１２より高い不灯時電圧１３となる。図１において、前記電極４、電極４’間のパルス電圧を計数する点灯パルス係数回路１４に入力しており、予め設定した９５％寿命到達パルス数（図示せず）を越えるパルスを計数した場合に９５％寿命到達信号１５を出力する。さらに前記蛍光灯の電極間の電圧を電極間電圧測定回路１６に入力し、予め設定した不灯電圧を越える電圧を測定した場合に不灯信号１７を出力する。これにより、蛍光灯の９５％寿命の検出と不灯火の検出が可能となる。
【図面の簡単な説明】
【００１０】
【図１】本発明の実施形態の構成を示す回路図である。
【図２】グロー点灯管を用いた蛍光灯の点灯回路を示す図である。
【図３】点灯時間と点灯開始電圧特性を示す図である。
【図４】９５％寿命時間での点灯開始電圧を示す点灯開始電圧特性を示す図である。
【図５】アナログ電子点灯管を用いた点灯回路を示す図である。
【図６】点灯時の電極間電圧と電極間電流の時間変化を示す図である。
【図７】点灯パルス数と点灯開始電圧の関係を示す図である。
【図８】蛍光灯不灯時の起動電流と起動電圧の時間変化を示す図である。
【符号の説明】
【００１１】
１    電源
２    グロー点灯管
３    蛍光管
４    電極
５    放電電流
６    安定器
１０    アナログ電子点灯管
１４  点灯パルス係数回路
１５  ９５％寿命到達信号
１６  電極間電圧測定回路
１７  不灯信号
【図１】
2005123027.tif 000003
【図２】
2005123027.tif 000004
【図３】
2005123027.tif 000005
【図４】
2005123027.tif 000006
【図５】
2005123027.tif 000007
【図６】
2005123027.tif 000008
【図７】
2005123027.tif 000009
【図８】
2005123027.tif 000010